(57)【要約】【課題】点検結果を容易に確認することが可能で、不要な被ばくが生じるのを防止することが可能なＸ線検出器の管理システムおよびＸ線診断装置を提供する。【解決手段】実施形態のＸ線検出器の管理システムは、複数のＸ線検出器を保管し、前記複数のＸ線検出器のうちのいずれかが選択され、Ｘ線を発生するＸ線発生部に対向する位置に装着可能に前記Ｘ線検出器を管理する。Ｘ線検出器の管理システムは、点検手段と、記憶部とを有する。点検手段は、前記保管中に前記Ｘ線検出器の各々を所定の時間毎に、または、点検の指示を受けて、Ｘ線検出器の性能及び／または機能に関する項目について点検するとともに、Ｘ線検出器の実動状態の動作に関する項目について点検する。記憶部は前記点検された点検結果を、他の機器から読み出し可能に記憶する。【選択図】図２
2015100439.tif 000002
【特許請求の範囲】
【請求項１】
複数のＸ線検出器を保管し、前記複数のＸ線検出器のうちのいずれかが選択され、Ｘ線を発生するＸ線発生部に対向する位置に装着可能に前記Ｘ線検出器を管理するＸ線検出器の管理システムにおいて、
前記保管中に前記Ｘ線検出器の各々を所定の時間毎に、または、点検の指示を受けて、Ｘ線検出器の性能及び／または機能に関する項目について点検するとともに、Ｘ線検出器の実動状態の動作に関する項目について点検する点検手段と、
前記点検された点検結果を、他の機器から読み出し可能に記憶する記憶部と、
を有する
ことを特徴とするＸ線検出器の管理システム。
【請求項２】
前記対向する位置に装着された前記Ｘ線検出器に対しＸ線を照射するＸ線発生部を有し、前記Ｘ線検出器および前記Ｘ線発生部を制御してＸ線撮影を行わせるＸ線診断装置をさらに有し、
前記Ｘ線診断装置は、表示部を有し、前記Ｘ線検出器が選択されたことを受けて、前記記憶部から読み出された、前記選択されたＸ線検出器の前記点検結果を前記表示部に表示させることを特徴とする請求項１に記載のＸ線検出器の管理システム。
【請求項３】
前記点検手段は、前記対向する位置に装着された前記Ｘ線検出器についての前記点検結果が正常であるかどうかを判定する第１の判定部を有し、
前記第１の判定部により前記点検結果が正常でないと判定されたとき、被検体について前記Ｘ線撮影を行わせないように前記Ｘ線検出器および前記Ｘ線発生部を制御することを特徴とする請求項１または２に記載のＸ線検出器の管理システム。
【請求項４】
前記第１の判定部により判定された前記判定結果を前記表示部に表示させるように構成されることを特徴とする請求項３に記載のＸ線検出器の管理システム。
【請求項５】
前記点検手段は、前記点検結果が記憶されたときからの経過時間が予め定められた有効期間を超えるかどうかを判定する第２の判定部を有し、
前記第２の判定部により前記経過時間が前記有効期間を超えると判定されたとき、前記点検結果が正常であっても、被検体について前記Ｘ線撮影を行わせないように前記Ｘ線検出器および前記Ｘ線発生部を制御することを特徴とする請求項１から４のいずれかに記載のＸ線検出器の管理システム。
【請求項６】
前記第２の判定部により判定された前記判定結果を前記表示部に表示させるように構成されることを特徴とする請求項５に記載のＸ線検出器の管理システム。
【請求項７】
複数のＸ線検出器を保管するとともに、前記複数のＸ線検出器のいずれかを用いて、前記Ｘ線検出器に対しＸ線を照射するＸ線発生部と、前記Ｘ線検出器および前記Ｘ線発生部を制御してＸ線撮影を行わせる制御部とを有するＸ線診断装置において、
前記Ｘ線検出器を構成する検出素子の動作状態を診断するための自己診断手段を有し、
前記制御部は、被検体について前記Ｘ線撮影を行わせる診断用撮影モードと、前記Ｘ線検出器の点検を行う点検モードとを有し、
さらに、前記点検モードのときに、定期的に前記自己診断手段による自己診断結果を点検するとともに、前記Ｘ線検出器のそれぞれをＸ線撮影における実動状態において実動点検を行う点検手段と、
前記点検手段による点検結果を他の機器から読み出し可能に記憶する記憶部と、
を有する
ことを特徴とするＸ線診断装置。
【請求項８】
前記検出素子の動作状態として、前記検出素子の欠陥の有無、感度の状態を含み、
前記実動状態として前記Ｘ線撮影時におけるＸ線照射とのタイミングの良否を含むことを特徴とする請求項７に記載のＸ線診断装置。
【発明の詳細な説明】
【技術分野】
【０００１】
本発明の実施形態は、Ｘ線検出器の管理システムおよびＸ線診断装置に関する。
【背景技術】
【０００２】
従来のＸ線検出器の管理システムとしては、例えば、可搬型Ｘ線システムにおけるＸ線検出器は、異なる位置に移動されて用いられる。そのため、Ｘ線検出器は環境刺激を受ける。環境刺激に基づいてＸ線検出器が作動される（例えば、特許文献１）。
【０００３】
また、例えば、システムがイメージング・サブシステムの作用範囲内の１又は複数のＸ線検出器を検出する。次いで、システムが各々のＸ線検出器の状態（例えば、充電状態、現在の連係）及び／または能力（例えば、記憶されているプロトコル、互換性）を決定することができる（例えば、特許文献２）。
【０００４】
さらに、例えば、複数のＸ線検出器と、それらと通信可能なサーバとを有し、サーバを用いて、Ｘ線検出器の機能的状態、保守履歴、キャリブレーション状態が取得される（例えば、特許文献３）。
【０００５】
大規模な医療機関は複数の検査室を有する。検査室にはＸ線診断装置等のモダリティが設けられる。Ｘ線診断装置は、Ｘ線を発生するＸ線発生部と、Ｘ線発生部に対向する位置に装着され、Ｘ線を検出するＸ線検出器とを有する。Ｘ線検出器は、Ｘ線診断装置の画像処理部と無線で信号の送受信を行うように構成される。このようなＸ線検出器は、ワイヤレスＸ線画像検出器と呼称される。ワイヤレスＸ線画像検出器においては、複数のＸ線診断装置や検査室で共用する場合が想定される。
【０００６】
Ｘ線発生部に対向する位置から外されたＸ線検出器は検査室に保管される。Ｘ線検出器はドック（後述する）に収納される。保管中に、Ｘ線検出器のバッテリーの状態が取得されるように構成される（例えば、特許文献４）。ここで、「保管中」とは、ドックに収納されたときを含み、被検体（患者）についてＸ線撮影が行われる診断用Ｘ線撮影が終了してから次の診断用Ｘ線撮影が開始されるまでの間、または、医用機関に搬入されてから最初の診断用Ｘ線撮影が開始されるまでの間をいう。
【先行技術文献】
【特許文献】
【０００７】
【特許文献１】特開２００６−２９７０９６号公報
【特許文献２】特開２０１１−２３５０９１号公報
【特許文献３】特開２０１１−１９９０５号公報
【特許文献４】特開２０１１−２０３５９５号公報
【発明の概要】
【発明が解決しようとする課題】
【０００８】
Ｘ線検出器についての環境刺激、その状態／能力、機能的状態、保守履歴、キャリブレーション状態、バッテリーの状態、その他の項目を「Ｘ線検出器の性能及び／または機能に関連する項目」という場合があり、また、単に「第１の項目」または「定期点検項目」という場合がある。
【０００９】
第１の項目はＸ線検出器の保管中に点検される。点検結果は、Ｘ線検出器の内部の記憶部に記憶され、または、Ｘ線診断装置に備えられた記憶部に記憶される。点検結果は、記憶部から読み出され、放射線技師等により確認される。
【００１０】
Ｘ線検出器についての点検項目には、Ｘ線検出器について実動状態の動作に関連する項目がある。これを、単に「第２の項目」、「始業点検項目」という場合がある。第２の項目についての点検は、被検体についてＸ線撮影が行われる診断用Ｘ線撮影の直前に行われる。
【００１１】
上記各公報に記載された技術では、他の検査室に保管されたＸ線検出器が自検査室でＸ線撮影に用いられるとき、そのＸ線検出器についての点検結果を確認するために、他の検査室にわざわざ出向かなければならず、点検結果を容易に確認することができない。
【００１２】
さらに、各公報記載の技術では、保管中に、Ｘ線検出器について実動状態の動作に関連する項目が点検される訳ではない。そのため、仮に、保管中にこれらの項目が点検されずに、また、点検結果を確認せずに、被検体についてのＸ線撮影に、欠陥や異状のある不適格なＸ線検出器が用いられたとき、所望の画像が取得できず、不要な被ばくが生じるという問題点があった。
【００１３】
この実施形態は、上記の問題を解決するものであり、点検結果を容易に確認することが可能で、不要な被ばくが生じるのを防止することが可能なＸ線検出器の管理システムおよびＸ線診断装置を提供することを目的とする。
【課題を解決するための手段】
【００１４】
上記課題を解決するために、実施形態のＸ線検出器の管理システムは、複数のＸ線検出器を保管し、前記複数のＸ線検出器のうちのいずれかが選択され、Ｘ線を発生するＸ線発生部に対向する位置に装着可能に前記Ｘ線検出器を管理する。Ｘ線検出器の管理システムは、点検手段と、記憶部とを有する。点検手段は、前記保管中に前記Ｘ線検出器の各々を所定の時間毎に、または、点検の指示を受けて、Ｘ線検出器の性能及び／または機能に関する項目について点検するとともに、Ｘ線検出器の実動状態の動作に関する項目について点検する。記憶部は前記点検された点検結果を、他の機器から読み出し可能に記憶することを特徴とする。
さらに、実施形態のＸ線診断装置は、複数のＸ線検出器を保管するとともに、前記複数のＸ線検出器のいずれかを用いて、前記Ｘ線検出器に対しＸ線を照射するＸ線発生部と、前記Ｘ線検出器および前記Ｘ線発生部を制御してＸ線撮影を行わせる制御部とを有する。前記Ｘ線検出器を構成する検出素子の動作状態を診断するための自己診断手段を有する。前記制御部は、被検体について前記Ｘ線撮影を行わせる診断用撮影モードと、前記Ｘ線検出器の点検を行う点検モードとを有する。さらに、前記点検モードのときに、定期的に前記自己診断手段による自己診断結果を点検するとともに、前記Ｘ線検出器のそれぞれをＸ線撮影における実動状態において実動点検を行う点検手段と、前記点検手段による点検結果を他の機器から読み出し可能に記憶する記憶部と、を有することを特徴とする。
【図面の簡単な説明】
【００１５】
【図１】検査室およびＸ線診断装置の概念図。
【図２】第１実施形態に係るＸ線検出器の管理システムの構成ブロック図。
【図３】Ｘ線検出器が選択されてから診断用Ｘ線撮影するまでの一連の動作を示すフローチャート。
【図４】点検の一連の動作を示すフローチャート。
【図５】Ｘ線画像の基本画質点検の一連の動作を示すフローチャート。
【図６】第２実施形態に係るＸ線検出器の管理システムにおいて、システム起動からシステム停止までの一連の動作を示すタイムチャート。
【図７】第３実施形態に係るＸ線検出器の管理システムの構成ブロック図。
【発明を実施するための形態】
【００１６】
図１を参照して、検査室およびＸ線診断装置について説明する。図１は、検査室およびＸ線診断装置１０Ａの概念図である。図１に検査室１および検査室２を示す。ここでは、各検査室およびそこに設けられたＸ線診断装置１０Ａは同じ構成を有する。以下、検査室１およびＸ線診断装置１０Ａについて代表して説明し、検査室２およびＸ線診断装置１０Ａについての説明を省略する。
【００１７】
図１に示すように、Ｘ線診断装置１０Ａは、Ｘ線検出器１０、Ｘ線発生部１１、移動機構１２、および、コンソール２０を有する。Ｘ線検出器１０およびＸ線発生部１１は、高さ位置を調整可能に、かつ、移動機構１２により天井に沿って移動可能に構成される。Ｘ線検出器１０は、Ｘ線発生部１１から発生し被検体（患者）Ｐを透過したＸ線を検出する。検出された結果に基づいて画像が生成され、表示部２４に表示される。
【００１８】
図１に、検査室１にドック１３が設けられる。ドック１３に複数（例えば４つ）のＸ線検出器１０が収納される。Ｘ線検出器１０のそれぞれは自己診断手段５０（後述する）を有する。自己診断手段５０による自己診断結果を間欠的／定期的に点検する定期点検では、第１の項目について点検され、Ｘ線検出器１０がＸ線発生部１１と対向する位置に装着されたときの始業点検では、第２の項目について点検される。これらの点検結果は、コンソール２０の内部に設けられた記憶部４０（後述する）に他の機器（ここでは、他の検査室２のコンソール２０）から読み出し可能に記憶される。コンソール２０は、ローカルエリアネットワーク（ＬＡＮ）を介して、他の検査室２のコンソール２０に接続される。それにより、一方の検査室のコンソール２０の内部に設けられた記憶部４０に記憶された点検結果が、他方の検査室のコンソール２０により読み出される。これらの点検結果はＸ線診断装置の制御部が診断用撮影モード開始の許可に用いたり、自検査室及び他方の検査室において表示部２４に表示され、放射線技師等により確認することが可能となる。
【００１９】
すなわち、医療機関内の複数の場所からＸ線検出器１０についての点検結果を容易に確認でき、かつ、診断用Ｘ線撮影において適格なＸ線検出器１０が用いられ、所望の画像が取得できるため、不要な被ばくが生じるのを防止することが可能となる。
【００２０】
［第１実施形態］
Ｘ線検出器１０の管理システムの第１実施形態について各図を参照して説明する。
先ず、Ｘ線検出器１０の管理システムの基本的な構成について図２を参照して説明する。図２は、Ｘ線検出器１０の管理システムの構成ブロック図である。
【００２１】
図２に示すように、Ｘ線検出器１０の管理システムは、画像処理部２１、インターフェース２２、制御部３０、および、記憶部４０を有する。制御部３０が「点検手段」の一例である。
【００２２】
画像処理部２１は、Ｘ線撮影において、Ｘ線検出器１０により検出されたＸ線に基づいて、フィルタ処理や階調処理を行い画像を生成する。インターフェース２２、制御部３０、および、記憶部４０は、コンソール２０に設けられる。インターフェース２２は、表示制御部２３、表示部２４、および、入力部２５を有する。表示制御部２３は、画像処理部２１により生成された画像を表示部２４に表示させる。制御部３０は、被検体ＰについてＸ線撮影を行わせる診断用撮影モードと、Ｘ線検出器１０の点検を行う点検モードとを有する。制御部３０は、点検モードにおいて画像処理部２１により生成された画像を受けて、Ｘ線画像の基本画質点検（後述する）を行う。
【００２３】
（定期点検）
次に、点検モードの一例である定期点検について説明する。なお、定期点検の時期は、Ｘ線検出器１０がドック１３に収納されたときに限らず、始業点検（後述する）のときでもよい。
【００２４】
図２では、ドック１３に収納されたＸ線検出器１０を概念的に示す。図２に示すように、Ｘ線検出器１０のそれぞれは、それを構成する検出素子の動作状態を診断するための自己診断手段５０を有する。自己診断手段５０は、Ｘ線検出器１０がドック１３に収納されたとき、間欠的／定期的（例えば、１時間おき）に、Ｘ線検出器１０を構成する検出素子の動作状態について診断する。制御部３０は、自己診断手段５０により診断された自己診断結果を点検する。この点検を「第１の項目の点検」という。ここで、「第１の項目の点検」としては、Ａ）暗時画像の点検；Ｂ）欠陥画素の点検；Ｃ）バッテリー状態の点検；Ｄ）ワイヤレス通信の点検を有する。
【００２５】
ここで、「暗時画像の点検」とは、Ｘ線を照射せずに収集した画像、Ｘ線検出器１０各部の暗電流、オフセット電圧により生成される画像データが基準データに合致しているかを点検することをいう。さらに、「欠陥画素の点検」は、暗時画像中の各画素の出力で周辺画素に比べて著しく異なる出力を持つ画素の位置が許容範囲内であることを点検することをいう。さらに、「ワイヤレス通信の点検」とは、通信が基準の信号強度で、正常にできることの点検をいう。
【００２６】
図２に示すように、自己診断手段５０は、無線ＬＡＮを介してコンソール２０の制御部３０に接続される。このワイヤレス通信により、定期点検における第１の項目についての自己診断結果が定期的に自己診断手段５０から制御部３０に送信される。制御部３０は、自己診断結果を点検し、点検結果を他の機器から読み出し可能に記憶部４０に更新して記憶させる。
【００２７】
第一の項目についての点検結果およびＸ線検出器の識別番号（検出器ＩＤ）がシステムの内部（システム内の記憶部４０）に記録される。記憶部４０はＸ線検出器１０の内部に設けられてもよい（後述する）。
【００２８】
以上のように、定期点検においては、第１の項目についての点検結果が自動的に記憶部４０に記憶され、放射線技師等による人為的な作業が生じない。
【００２９】
（始業点検）
次に、点検モードの一例である始業点検について説明する。なお、始業点検において、前述する定期点検も行ってもよい。
【００３０】
始業点検されるＸ線検出器１０は、定期点検がされた複数のＸ線検出器１０のうちから選択される。
【００３１】
選択されたＸ線検出器１０について、放射線技師等の入力部２５の操作を受けて、表示制御部２３は、記憶部４０に記憶された第１の項目についての点検結果を表示部２４に表示させることが可能である。このようにして、放射線技師等により第１の項目についての点検結果が確認される。第１の項目の点検結果の確認は人為的でなく制御部が行ってもよい。点検結果に基づいて、選択されたＸ線検出器１０が正常であるとき、始業点検が行われる。一方で、選択されたＸ線検出器１０が異常であるとき、例えば、始業点検が行われず、ドック１３に戻されず、異常の原因が解明される。
【００３２】
始業点検を開始する時点においてあることの望ましい情報は、選択されたＸ線検出器の識別番号に一致する第１の項目についての点検結果であるが、必ずしも必要であることを意味しない。なぜなら、第１の項目についての点検結果は、始業点検開始後に点検を実施し得ることができる情報であるためである。
【００３３】
制御部３０は、Ｘ線検出器１０がＸ線発生部１１と対向する位置に装着されたとき、点検の指示を受けて、Ｘ線検出器１０のそれぞれをＸ線撮影における実動状態において実動点検を行う。この点検を「第２の項目の点検」という。ここで、「第２の項目の点検」としては、Ｅ）Ｘ線発生部１１のＸ線照射とのタイミングの点検；Ｆ）ワイヤレス通信の実使用状態での点検；Ｇ）Ｘ線画像の基本画質点検を有する。
【００３４】
ここで、「Ｘ線画像の基本画質点検」とは、フラットフィールド画像や所定のファントム画像を撮影し、画像レベルの均一性、空間解像度、コントラスト解像度、画像歪等の基本画質が、基準データに合致していることを点検することをいう。なお、前述したように、入力部２５の操作による指示を受けて、制御部３０が始業点検において、定期点検を行うことも可能である。このとき、第１の項目についての点検は、Ｘ線検出器１０がＸ線発生部１１と対向する位置に装着され、始業点検が開始されたときに行われる。定期点検が実施された後、点検結果が正常であれば第一の項目についての点検結果を他の機器から読み出し可能に記憶部４０に記憶される。引き続いて第２の項目についての点検が実施され、第２の項目についての結果を他の機器から読み出し可能に記憶部４０に記憶させる。
【００３５】
制御部３０は、始業点検における第２の項目についての点検結果を他の機器から読み出し可能に記憶部４０に記憶させる。第２の項目についての点検結果はシステムの内部（システム内の記憶部４０）に記録される。記憶部４０はＸ線検出器１０の内部に設けられてもよい（後述する）。
【００３６】
放射線技師等の入力部２５の操作を受けて、表示制御部２３は、記憶部４０に記憶された第２の項目についての点検結果を表示部２４に表示させることが可能である。このようにして、放射線技師等により第２の項目についての点検結果が確認される。Ｘ線検出器１０が正常であると確認されたとき、ドック１３に戻され、または、診断用Ｘ線撮影が行われる。一方でＸ線検出器１０が異常であると確認されたとき、例えば、ドック１３に戻されず、異常の原因が解明される。
【００３７】
診断用Ｘ線撮影開始時において、第２の項目についての点検結果が次のように判定される。
【００３８】
（第１の判定部３１）
制御部３０は、第１の判定部３１を有する。第１の判定部３１は「点検手段」の一例である。第１の判定部３１は、始業点検における第２の項目についての点検結果が正常であるかどうかを判定する。ここで、「点検結果が正常である」とは、点検結果が判定基準に合致していることをいう。「判定基準」とは、例えば、Ａ）暗時画像の点検における基準データ、Ｄ）ワイヤレス通信の点検における基準信号の強度、Ｇ）Ｘ線画像の基本画質点検における基準データをいう。
【００３９】
制御部３０は、点検結果が正常でないとの第１の判定部３１による判定結果を受けて、診断用Ｘ線撮影の指示があっても、被検体ＰについてＸ線撮影を行わせないようにコンソール２０のインターフェース２２、Ｘ線検出器１０およびＸ線発生部１１を制御する。さらに、表示制御部２３は、第１の判定部３１による判定結果を表示部２４に表示させる。この判定結果は点検結果に含まれる。表示制御部２３は、点検結果として、制御部３０による点検結果、および、第１の判定部３１による判定結果を表示部２４に表示させる。
【００４０】
（動作）
以上に、Ｘ線検出器の管理システムの構成を簡単に説明した。
次に、Ｘ線検出器の管理システムの一連の動作について図３、図４、および、図５を参照して説明する。
【００４１】
図３は、Ｘ線検出器が選択されてから診断用Ｘ線撮影するまでの一連の動作を示すフローチャートである。ここでは、Ｘ線検出器１０がＸ線発生部１１に対向する位置に装着されたとき、定期点検および始業点検が行われる（始業点検において定期点検が行われる）ものについて説明する。
【００４２】
先ず、Ｘ線検出器１０が選択される（ステップＳ１０１）。Ｘ線検出器１０の選択は、Ｘ線検出器１０がＸ線発生部１１に対向する位置に装着されたときに行われる。選択されたＸ線検出器１０の識別番号が記憶部４０に記憶される。
【００４３】
次に、入力部２５の操作による指示を受けて、制御部３０が点検を実施するかどうかを判断する（ステップＳ１０２）。点検を実施すると判断したとき（ステップＳ１０２：Ｙ）、制御部３０が、選択されたＸ線検出器１０を点検する（ステップＳ１０３）。
【００４４】
ここで、点検の詳細について図４を参照して説明する。図４は、点検の一連の動作を示すフローチャートである。
【００４５】
最初に、定期点検が行われ（ステップＳ２０１〜Ｓ２０４）、続いて、始業点検が行われる（ステップＳ２０５〜Ｓ２０８）。
【００４６】
定期点検における実施の順番の一例としては、先ず、自己診断手段５０による暗時画像の診断結果を制御部３０が点検する（ステップＳ２０１）。続いて、自己診断手段５０による欠陥画素の診断結果を制御部３０が点検する（ステップＳ２０２）。続いて、自己診断手段５０によるバッテリー状態の診断結果を制御部３０が点検する（ステップＳ２０３）。続いて、自己診断手段５０によるワイヤレス通信の診断結果を制御部３０が点検する（ステップＳ２０４）。
【００４７】
始業点検における実施の順番の一例としては、先ず、制御部３０がＸ線照射とのタイミングを点検する（ステップＳ２０５）。続いて、制御部３０が欠陥画素を点検する（ステップＳ２０６）。続いて、制御部３０がワイヤレス通信の実使用状態を点検する（ステップＳ２０７）。続いて、制御部３０がＸ線画像の基本画質を点検する（ステップＳ２０８）。
【００４８】
ここで、Ｘ線画像の基本画質点検の詳細について、図５を参照して説明する。図５は、Ｘ線画像の基本画質点検の一連の動作を示すフローチャートである。
【００４９】
先ず、制御部３０は、フラットフィールド画像撮影の指示を受けたかどうかを判断する（ステップＳ３０１）。次に、フラットフィールド画像撮影の指示を受けたと判断したとき（ステップＳ３０１：Ｙ）、フラットフィールド画像の撮影が行われ、制御部３０は、フラットフィールド画像を評価する（ステップＳ３０２）。
【００５０】
次に、制御部３０は、ファントム画像撮影の指示を受けたかどうかを判断する（ステップＳ３０３）。ファントム画像撮影の指示を受けたと判断したとき（ステップＳ３０３：Ｙ）、ファントム画像の撮影が行われ、制御部３０は、ファントム画像を評価する（ステップＳ３０４）
【００５１】
以上の暗時画像の点検（ステップＳ２０１）〜Ｘ線画像の基本画質点検（ステップＳ２０８）を経て、点検を終了する。
【００５２】
次に、制御部３０が再点検するかどうかを判断する（ステップＳ１０４）。なお、点検を実施しないと判断したとき（ステップＳ１０２：Ｎ）、ステップＳ１０４に移行する。
【００５３】
制御部３０が再点検すると判断したとき（ステップＳ１０４：Ｙ）、ステップＳ１０２に戻る。制御部３０が再点検しないと判断したとき（ステップＳ１０４：Ｎ）、制御部３０が、入力部２５の操作による指示を受けて、あるいは、Ｘ線発生部１１に対向する位置からＸ線検出器１０が外されたことを受けて、Ｘ線検出器１０を交換するかどうかを判断する（ステップＳ１０５）。
【００５４】
制御部３０がＸ線検出器１０を交換すると判断したとき（ステップＳ１０５：Ｙ）、Ｘ線検出器１０を選択するステップＳ１０１に戻る。
【００５５】
制御部３０がＸ線検出器１０を交換しないと判断したとき（ステップＳ１０５：Ｎ）、第１の判定部３１は点検結果が正常であるかどうかを判定する（ステップＳ１０６）。第１の判定部３１による判定結果を受けて、表示制御部２３は、点検結果（判定結果を含む）を表示部２４に表示させる。
【００５６】
点検結果が正常であると第１の判定部３１が判定したとき（ステップＳ１０６：Ｙ）、制御部３０がＸ線検出器１０およびＸ線発生部１１を制御して診断用Ｘ線撮影を行わせる（ステップＳ１０７）。
【００５７】
点検結果が異常であると第１の判定部３１が判定したとき（ステップＳ１０６：Ｎ）、Ｘ線検出器１０を交換するかどうかを判断するステップＳ１０５に戻る。そして、交換されたＸ線検出器１０についての点検結果が正常であると第１の判定部３１が判定したとき（ステップ１０６：Ｙ）、制御部３０は診断用Ｘ線撮影を行わせるが、点検結果が正常であると第１の判定部３１が判定しない限り、制御部３０は診断用Ｘ線撮影を行わせない。
【００５８】
診断用Ｘ線撮影が終了した後、制御部３０は、入力部２５の操作による指示を受けて、次の被検体Ｐを検査するかどうかを判断する（ステップＳ１０８）。次の被検体Ｐを検査すると判断したとき（ステップＳ１０８：Ｙ）、Ｘ線検出器１０を交換するかどうかを判断するステップＳ１０５に戻る。次の被検体Ｐを検査しないと判断したとき（ステップＳ１０８：Ｎ）、終了する。
【００５９】
［第２実施形態］
次に、Ｘ線検出器１０の管理システムの第２実施形態について図を参照して説明する。なお、第２実施形態において、第１実施形態と同じ構成については同一番号を付してその説明を省略し、異なる構成について主に説明する。
【００６０】
制御部３０は、タイマー（図示しない）、および、第２の判定部３２を有する（図２参照）。第２の判定部３２が「点検手段」の一例である。タイマーは、始業点検における第２の項目についての点検結果が記録されたときからの経過時間を測定する。第２の判定部３２は、タイマーにより測定された経過時間が予め定められた有効期間を超えるかどうかを判定する。有効期間は記憶部４０に記憶される。診断用Ｘ線撮影開始時においては、経過時間が有効期間を超えるかどうかの情報が必要である。
【００６１】
制御部３０は、経過時間が有効期間を超えるとの第２の判定部３２による判定結果を受けて、診断用Ｘ線撮影を行わせないようにＸ線検出器１０およびＸ線発生部１１を制御する。経過時間が有効期間を超えるかどうかの情報の記録場所はシステムの内部（システム内の記憶部４０）である。
【００６２】
図６は、システム起動からシステム停止までの一連の動作を示すタイムチャートである。ここで、有効期間を「２４時間」として説明する。
【００６３】
図６に示すように、１日目において、入力部２５の操作による指示を受けて、システムが起動する。その後、第１の判定部３１が始業点検における第２の項目についての点検結果が正常であると判定し、かつ、経過時間が有効期間を超えないと第２の判定部３２が判定したとき、診断用Ｘ線撮影が可能となる。
【００６４】
第１の実施形態では、図３に示すステップＳ１０６において、第１の判定部３１が始業点検における第２の項目についての点検結果を正常であると判定したが、第２の実施形態では、これに加え、点検結果の有効性について判定するので、始業点検がある周期で確実に実施されることとなる。そのため、不適格なＸ線検出器１０を用いた診断用Ｘ線撮影が防止され、不要な被ばくを低減することができる。なお、例えば、入力部２５の操作による指示を受けて、有効期間を調整可能に構成すれば、医療機関の検査態様に合わせた点検周期で始業点検を実施できる。
【００６５】
さらに、表示制御部２３は、点検結果として、制御部３０による点検結果、および、第２の判定部３２による判定結果を表示部２４に表示させる。そのため、放射線技師等により点検結果が容易に確認される。
【００６６】
図６に、１日目の始業点検において点検結果を取得してからの経過時間を実線で示す。図６に示すように、２日目において、システムが起動した後、１日目の始業点検において点検結果を取得してから有効期間（２４時間）が経過したとき、制御部３０は、診断用Ｘ線撮影を行わせないようにＸ線検出器１０およびＸ線発生部１１を制御する。このとき、表示制御部２３は、経過時間が有効期間（２４時間）を超えた旨が表示部２４に表示させる。その旨の表示により、放射線技師等が始業点検の実施を促される。
【００６７】
図６に、２日目の始業点検において点検結果を取得してからの経過時間を破線で示す。なお、２日目の始業点検において点検結果が取得されとき、３日目において、システムが起動した後に、有効期限（２４時間）が経過する。
【００６８】
［第３実施形態］
次に、Ｘ線検出器１０の管理システムの第３実施形態について図７を参照して説明する。図７は、第３実施形態に係るＸ線検出器１０の管理システムの構成ブロック図である。なお、第３実施形態において、第１実施形態と同じ構成については同一番号を付してその説明を省略し、異なる構成について主に説明する。
【００６９】
第１実施形態においては、コンソール２０の内部（システム内）に記憶部４０が設けられたものを示したが、第３実施形態では、図７に示すように、Ｘ線検出器１０の内部に記憶部４０が設けられる。
【００７０】
定期点検における第１の項目についての点検結果、始業点検における第２の項目についての点検結果、および、経過時間が有効期間を超えるかどうかの情報の記録場所はシステムの内部（システム内の記憶部４０）である。なお、記憶部４０がＸ線検出器１０自身に設けられることもある。
【００７１】
［第４実施形態］
次に、Ｘ線検出器１０の管理システムの第４実施形態について説明する。前記第１実施形態では、制御部３０による点検結果および第１の判定部３１による判定結果がインターフェース２２の表示部２４に表示される。さらに、前記第２実施形態では、制御部３０による点検結果および第２の判定部３２による判定結果がインターフェース２２の表示部２４に表示される。
【００７２】
これに対し、第４実施形態では、Ｘ線検出器１０に表示部が設けられてもよい。Ｘ線検出器１０の表示部は、インターフェース２２の表示部２４に対して小さな表示領域を有することが一般的である。限定された情報であれば、小さな表示領域に表示可能である。そこで、点検結果として、第１の判定部３１による判定結果、また、第２の判定部３２による判定結果がＸ線検出器１０の表示部に表示されるように構成される。
【００７３】
なお、上記の各種の実施形態では、Ｘ線検出器１０の管理システムの構成として、制御部３０（第１の判定部３１および第の判定部３２）並びに記憶部４０を設けたが、制御部３０等をＸ線診断装置の構成としてもよい。
【００７４】
また上記の各種の実施形態では、Ｘ線検出器のそれぞれは、それを構成する検出素子の動作状態を診断するための自己診断手段を有するとしたが、診断手段は管理システムまたはＸ線診断装置が有し、管理システムまたはＸ線診断装置の指示により検出素子を動作させて動作状態を診断してもよい。
【００７５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるととともに、特許請求の範囲に記載された発明とその均等の範囲に含まれる。
【符号の説明】
【００７６】
１０Ａ  Ｘ線診断装置
１０  Ｘ線検出器
１１  Ｘ線発生部
１２  移動機構
１３  ドック
２０  コンソール
２１  画像処理部
２２  インターフェース
２３  表示制御部
２４  表示部
２５  入力部
３０  制御部
３１  第１の判定部
３２  第２の判定部
４０  記憶部
５０  自己診断手段
【図１】
2015100439.tif 000003
【図２】
2015100439.tif 000004
【図３】
2015100439.tif 000005
【図４】
2015100439.tif 000006
【図５】
2015100439.tif 000007
【図６】
2015100439.tif 000008
【図７】
2015100439.tif 000009